(57)【特許請求の範囲】
【請求項１】
胴内における表皮の内面側に、表皮と平行するよう、表皮の面積より若干小さく形成した振動制御板を配置し、該振動制御板を表皮の内面に接離する方向に移動自在に支持すると共にばねを介して常時離間するよう附勢し、また胴の内面に、裏板の外面に設けたスイッチの操作によって作動するモータを固着すると共に、該モータを駆動源として揺動し、先端が前記振動制御板を表皮内面に押し付けるレバーを設け、更に表皮の内面に、前記振動制御板の周端面と胴の内面との間に位置させて、振動を電気信号に変換する圧電素子等からなるピックアップを設置し、該ピックアップにより変換された電気信号をアンプにより増幅すると共に、この電気信号を外部のアンプ及びスピーカとイヤホン又はヘッドホンに取り出すための端子とを設けてなる三味線。
【請求項２】
振動制御板が、表皮に近い側から厚ゴム、スポンジ、アルミの順に積層してなる振動制御板である請求項１記載の三味線。
【請求項３】
振動制御板が、表皮に近い側から厚ゴム、スポンジ、アルミの順に積層し、ピックアップが入り込むように周端面の一部に所要の長さ及び深さの切欠部を設けると共に、表皮外面の駒の位置と一致する位置における厚ゴム及びスポンジの部分に、前記切欠部の最深部中央から振動制御板の中心部に向かう所要の長さ及び幅の切欠部を設けてなる振動制御板である請求項１記載の三味線。
【発明の詳細な説明】
【０００１】
【発明の属する技術分野】
本発明は三味線に関し、更に詳細には普通の生演奏と、スピーカによる音の拡大と、消音した状態でのイヤホン又はヘッドホンによる聴取との三様の使い分けができるようになした三味線に係わる。
【０００２】
【従来の技術】
【特許文献１】
実公平７−３１２７５号公報
三味線は生演奏が本来的な使い方であるが、近年大きな会場で行う演奏会や他楽器との競演の機会が増えている。そしてこれらの場合には、音を拡大させなければならず、而も当該三味線の音だけを伝えなければ三味線本来の音の響きや余韻を伝えることができない。この点に鑑み本件特許出願人は先に前記特許文献１に示された三味線を提案した。
【０００３】
斯かる三味線は、振動を電気信号に変換するピックアップを胴の表皮の内面に設置すると共に胴にマイクジャックを設け、音をアンプによって増幅してスピーカから出すようにしたものである。そして、この場合には、音を拡大させることができるようになると共に、本来の生演奏もできるものである。
【０００４】
ところで、三味線はこれを弾けば当然に弦の音がする。たとい弱く弾いたとしても小さい音が出る。三味線を練習するとき、抑揚をつけて弾かなければ意味がなく、当然に大きな音や小さな音の繰り返しになる。また、練習は昼間だけでなく夜間において行う場合もある。そして、夜間における練習は、周囲の迷惑を考えるといきおい小さな音で弾かなければならず、充分な練習を行うことができない。また、複数の人が同じ場所で練習するときもあるが、そのとき音が出ると、夫々が別の練習を行う場合に支障がある。しかし、本件特許出願人が先に提案した上記三味線ではこのような場合に対応することができない。
【０００５】
また、音を小さくするために忍び駒と称される駒を使用することもあるが、当然のことながら音が聴きとり難いために正確に弾いているのかどうかの確認がし難く、また正確な調律もできない。
【０００６】
【発明が解決しようとする課題】
本発明は上記の点に鑑みなされたものであって、普通の生演奏と、スピーカによる音の拡大と、消音した状態でのイヤホン又はヘッドホンによる聴取との三様の使い分けができるようになした三味線を提供せんとするものである。
【０００７】
【課題を解決するための手段】
而して、本発明の要旨とするところは、胴内における表皮の内面側に、表皮と平行するよう、表皮の面積より若干小さく形成した振動制御板を配置し、該振動制御板を表皮の内面に接離する方向に移動自在に支持すると共にばねを介して常時離間するよう附勢し、また胴の内面に、裏板の外面に設けたスイッチの操作によって作動するモータを固着すると共に、該モータを駆動源として揺動し、先端が前記振動制御板を表皮内面に押し付けるレバーを設け、更に表皮の内面に、前記振動制御板の周端面と胴の内面との間に位置させて、振動を電気信号に変換する圧電素子等からなるピックアップを設置し、該ピックアップにより変換された電気信号をアンプにより増幅すると共に、この電気信号を外部のアンプ及びスピーカとイヤホン又はヘッドホンに取り出すための端子とを設けてなる三味線にある。
【０００８】
また、上記構成における振動制御板としては、表皮に近い側から厚ゴム、スポンジ、アルミの順に積層してなるものが望ましく、更にまた、上記の如く構成した上に、ピックアップが入り込むように周端面の一部に所要の長さ及び深さの切欠部を設けると共に、表皮外面の駒の位置と一致する位置における厚ゴム及びスポンジの部分に、前記切欠部の最深部中央から振動制御板の中心部に向かう所要の長さ及び幅の切欠部を設けてなるものを用いるようにしてもよい。
【０００９】
【発明の実施の形態】
以下、本発明の実施の形態について図面を参照しつつ説明する。
図１は胴部の側面側から看た中央縦断面図、図２は胴部の背面側から看た中央縦断面図、図３は図２中Ａ部分の拡大図、図４は胴部の裏面側から看た斜視図、図５は振動制御板の斜視図、図６はピックアップ部分の拡大断面図である。
【００１０】
図中、１は三味線の胴、２は棹、３は胴に張った表皮、３Ａは該表皮３の外面に位置させた駒、４は胴の裏板である。また、該裏板４は開閉自在とされ、ビス５等によって止着されるものである。
【００１１】
６は振動制御板であり、胴１内における表皮３の内面側に、表皮３と平行するよう配置されている。また、該振動制御板６は、表皮３の面積より若干小さく形成されており、そして表皮３の内面に接離する方向に移動自在に支持されると共に、ばねを介して常時離間するように附勢されている。
【００１２】
また、該振動制御板６は、本実施形態では、表皮に近い側から厚ゴム７、スポンジ８、アルミ９の順に積層し、後記ピックアップが入り込むように周端面の一部に所要の長さ及び深さの切欠部１０を設けると共に、表皮外面の駒３Ａの位置と一致する位置における厚ゴム７及びスポンジ８の部分に、前記切欠部１０の最深部中央から振動制御板の中心部に向かう所要の長さ及び幅の切欠部１１を設けている。尚、本実施形態では該切欠部１１は３本とし、中央部のものの幅を最も広くしている。
【００１３】
また、１２、１２は振動制御板６の支持装置であり、胴１の側面側の内面に対向して配置されている。そして該振動制御板の支持装置１２は、平面コ字形をなした支持基板１３と、これの左右側面に固着した、上下に平行して支持片１４ａ、１４ａが張り出すコ字形の支持体１４と、該支持片１４ａ、１４ａに摺動自在に貫挿されると共に一端側を前記振動制御板６の内面に接続され、他端側に配置したコイルばね１５を介して常時振動制御板６が表皮３から離れる方向への移動性向を付与された支持杆１６とをもって構成されている。また、合計４本の支持杆１６のうちの一つには、後記モータを作動させて振動制御板６を表皮３に押し付けるとき、所定の押圧力以上にならないようにするための、移動規制用のリミトスイッチ１６Ａを軸方向の所定の位置に取り付けている。そしてまた、合計４本の支持杆１６は、夫々コイルばね１５によって同じ圧力で移動性向が付与されているから、レバー２０の揺動によって振動制御板６を表皮３に押し付けるときに、全体的に平均した力で押し付けることができるものである。
【００１４】
１７は胴１の側面側の内面に、表皮３に沿うように固着されたモータであり、裏板４の外面に設けたスイッチ１８の操作によって作動するものである。１９は該モータ１７の回転を適宜に減速する減速装置であり、従来公知の装置を用いればよい。２０は前記モータ１７を駆動源として揺動し、先端が前記振動制御板６を表皮３に押し付けるレバーであり、基部を前記減速装置の回転軸に接続されている。また、本実施形態では、該レバー２０の先端と振動制御板６との間に所要枚数の圧力調整板２０Ａを介在させ、該圧力調整板２０Ａの枚数を調節して振動制御板６の表皮３への接触圧を調整している。これにより、表皮３の柔軟度に対応させることができる。
【００１５】
２１は振動を電気信号に変換する圧電素子等からなるピックアップであり、表皮３の内面に、前記振動制御板６の切欠部１０内に位置させて設置されている。
【００１６】
２２は前記裏板４の内面に固着されたアンプ等収容箱であり、内部に前記ピックアップ２１により変換された電気信号を増幅するアンプ（図示せず。）等を収容している。
【００１７】
２３は前記裏板４の内面に固着された電池収容箱であり、２３ａはそれの蓋である。また、本実施形態では、電源として電池と家庭用交流電源の両方を選択して用いることができるようにされており、２４は外部電源入力端子である。
【００１８】
２５は前記裏板４に配置された、前記アンプによって増幅された、ピックアップによって変換された電気信号を外部のアンプ及びスピーカ（図示せず。）に取り出すための端子である。２６は前記裏板４に配置された、前記アンプによって増幅された、ピックアップによって変換された電気信号を外部のイヤホン又はヘッドホン（図示せず。）に取り出すための端子である。２７は前記裏板４に配置された音のボリューム、高音、低音を調節するための調整装置である。
【００１９】
次に、本実施形態の作用について説明する。
先ず、第１の使い方であるが、この場合には振動制御板６が表皮３から離れた状態で、つまり普通の状態で弾くものであり、生の音をそのまま出すものである。次に、音を拡大する場合には、ピックアップ２１によって表皮３の振動を電気信号に変換し、アンプを介して増幅した後、外部のアンプ及びスピーカにより音を拡大するものである。そしてこのときには、当該三味線の音だけを出すことができるものである。最後に、消音した状態でイヤホン又はヘッドホンにより音を聴取する場合であるが、この場合には、スイッチ１８によってモータ１７を作動し、レバー２０を揺動させるものである。これにより振動制御板６はコイルばね１５の作用に抗して表皮３の内面に押し付けられ、該表皮３の振動を抑えて音を減弱させるものである。そして、この状態においてピックアップ２１によって振動を電気信号に変換すると共にアンプを介して増幅し、その後外部のイヤホン又はヘッドホンによって聴取するものである。また、普通の状態に戻す場合には、スイッチ１８の操作によってモータ１７の作動を逆にするものである。
【００２０】
【発明の効果】
本発明は上記の如き構成、作用であるから、普通の生演奏と、スピーカによる音の拡大と、消音した状態でのイヤホン又はヘッドホンによる聴取との三様の使い分けができるものである。
【００２１】
また、振動制御板として、表皮に近い側から厚ゴム、スポンジ、アルミの順に積層してなる振動制御板を用いる場合には、該振動制御板が表皮の内面に接触するときにソフトに接触し、振動を吸収して抑制し易いと共に表皮を傷めないものである。
【００２２】
更にまた、振動制御板が、表皮に近い側から厚ゴム、スポンジ、アルミの順に積層し、ピックアップが入り込むように周端面の一部に所要の長さ及び深さの切欠部を設けると共に、表皮外面の駒の位置と一致する位置における厚ゴム及びスポンジの部分に、前記切欠部の最深部中央から振動制御板の中心部に向かう所要の長さ及び幅の切欠部を設けてなる振動制御板である場合には、表皮の固有の振動だけでなく、表皮の振動に伴う空気の振動も側方からピックアップに伝わり、イヤホン又はヘッドホンで聴いたときに音を充分に高くすることができると共に音質も良くすることができるものである。
【図面の簡単な説明】
【図１】胴部の側面側から看た中央縦断面図である。
【図２】胴部の背面側から看た中央縦断面図である。
【図３】図２中Ａ部分の拡大図である。
【図４】胴部の裏面側から看た斜視図である。
【図５】振動制御板の斜視図である。
【図６】ピックアップ部分の拡大断面図である。
【符号の説明】
１  胴
３  表皮
４  裏板
６  振動制御板
７  厚ゴム
８  スポンジ
９  アルミ
１０、１１  切欠部
１７  モータ
２０  レバー
２１  ピックアップ
２２  アンプ等収容箱
２３  電池収容箱
２５、２６  電気信号の外部への取り出し端子
【図１】
0003690604.tif 000002
【図２】
0003690604.tif 000003
【図３】
0003690604.tif 000004
【図４】
0003690604.tif 000005
【図５】
0003690604.tif 000006
【図６】
0003690604.tif 000007